(57)【要約】本発明に係るボトル運搬具１は、連結した状態または分離した状態のいずれでも利用できる２つの長手中央部２を含む。これにより、必要に応じて、少ない数のボトルを運搬してもよいので、冷蔵庫内の格納場所および同様の場所を有効に利用できる。これら２つの部品は、分離した状態でも、あるいは短辺側端部で結合した状態でも、ボトル格納区画に垂直に収納できるため、他のボトル運搬具と比べて狭い空間に、他のボトル運搬具と同数のボトルを格納できる上、ボトルの金属栓の開栓に利用してもよい。
2004538217.tif 000002
【特許請求の範囲】
【請求項１】
複数のボトルを一単位として運搬および格納するために使用されるボトル運搬具であって、
長く延びる長手中央部本体と、
前記本体の一方の長辺側に沿って形成され、ボトルの首部分が把持され、収納される少なくとも１つの把持空間部と、を含み、
前記本体の他方の長辺側に一定間隔で設けられた少なくとも１つの固定手段が、前記長手中央部同士の連結を提供することを特徴とするボトル運搬具。
【請求項２】
請求項１に記載のボトル運搬具であって、
固定手段は、窪んでおり、好ましくは中空構造の少なくとも１つの係合受け（６）と、前記係合受け（６）の近くの反対側の面に形成された固定係合片（７）であって、その一部が本体上に配置され、残りの部分が本体側面から外側に突き出た固定係合片（７）と、を含み、
前記固定係合片（７）は、簡単に前記係合受け（６）に挿入でき、該固定係合片（７）の挿入後は、力を印加しない限り、該固定係合片（７）が該係合受け（６）から簡単には抜けないことを特徴とするボトル運搬具。
【請求項３】
請求項２に記載のボトル運搬具であって、複数の係合受け（６）は、本体（３）の同一面上に配置されることを特徴とするボトル運搬具。
【請求項４】
請求項２又は３に記載のボトル運搬具であって、複数の係合受け（６）の内、いくつかは前記本体（３）の上面に配置され、いくつかは前記本体（３）の下面に配置されることを特徴とするボトル運搬具。
【請求項５】
請求項２〜４のいずれか１つに記載のボトル運搬具であって、複数の固定係合片は、前記本体（３）の同一面上に配置されることを特徴とするボトル運搬具。
【請求項６】
請求項２〜５のいずれか１つに記載のボトル運搬具であって、複数の固定係合片（７）の内、いくつかは前記本体（３）の上面に配置され、いくつかは前記本体（３）の下面に配置されることを特徴とするボトル運搬具。
【請求項７】
請求項２〜６のいずれか１つに記載のボトル運搬具であって、２つの長手中央部（２）には、一方の上面に係合受け（６）が設けられ、他方の上面に固定係合片（７）がそれぞれ設けられ、両本体（３）の固定係合片（７）をそれぞれ他方の長手中央部（２）上にある係合受け（６）の側面間に挿入して、２つの長手中央部（２）を連結することを特徴とするボトル運搬具。
【請求項８】
請求項１に記載のボトル運搬具であって、固定手段は、前記把持空間部と反対側の本体上に配設され、その一部が前記本体（３）上に位置し、その残りの部分が該本体から外に突き出た状態に構成され、２つの長手中央部（２）の連結を補助する固定リングを含むことを特徴とするボトル運搬具。
【請求項９】
請求項８に記載のボトル運搬具であって、前記長手中央部にある２つの固定リング間の距離は、他方の長手中央部上に設ける固定リングを弾力のある状態で配置できる十分な長さを備えることを特徴とするボトル運搬具。
【請求項１０】
請求項８又は９に記載のボトル運搬具であって、双方の長手中央部（２）が固定されると、本体（３）の長辺上で互いに向き合うように設けた窪みが、指を挿入できる十分な幅の開口部を形成することを特徴とするボトル運搬具。
【請求項１１】
請求項１に記載のボトル運搬具であって、
一方がオス形状で、もう一方がメス形状を持つ固定要素を含み、
前記固定要素が前記長手中央部（２）を互いに固定することを特徴とするボトル運搬具。
【請求項１２】
請求項１１に記載のボトル運搬具であって、更に、一方の面に丸みを帯びて広がる段座が設けられたキノコ状のオスの固定部材を含むことを特徴とするボトル運搬具。
【請求項１３】
請求項１１又は１２に記載のボトル運搬具であって、更に、オス部材（１２）が挿入され、挿入後にオス部材が抜け出ることを防ぐ貫通穴が設けられたメス部材を含むことを特徴とするボトル運搬具。
【請求項１４】
請求項１〜１３のいずれか１つに記載のボトル運搬具であって、更に、締結要素を含み、
前記締結要素が、前記長手中央部（２）をその短辺側で固定して、複数のボトルを１列に並べて格納できるようにすることを特徴とするボトル運搬具。
【請求項１５】
請求項１〜１４のいずれか１つに記載のボトル運搬具であって、更に、横方向保持部品を含み、
前記横方向保持部品は前記本体と結合し、所定の弾力性以上で把持空間部が降伏しないようにすることを特徴とするボトル運搬具。
【請求項１６】
請求項１〜１５のいずれか１つに記載のボトル運搬具であって、
円形の把持取手を設けた把持空間部と、前記把持空間部の端面に設け、爪表面と爪頭部とを有し、ボトルの口を挿入できる十分な弾性を備えた把持部材と、を含み、
該ボトル運搬具を持つことによって、ボトルを運搬および格納することができ、
該ボトル運搬具をボトルに押しつけると、前記弾性を備えた把持部材が開いて、該弾性把持部材の爪頭部（１９）が、ボトル開口部や金属栓を把持することを特徴とするボトル運搬具。
【請求項１７】
請求項１〜１６のいずれか１つに記載のボトル運搬具であって、該ボトル運搬具を単一のボトルに押しつけると、前記爪頭部（１９）によって前記金属栓を開栓できることを特徴とするボトル運搬具。
【請求項１８】
請求項１〜１７のいずれか１つに記載のボトル運搬具であって、前記把持空間部の端面上にある、爪表面と爪頭部とで構成された把持部材を複数設けたことを特徴とするボトル運搬具。
【請求項１９】
請求項１〜１８のいずれか１つに記載のボトル運搬具であって、本体の２箇所の角が、三角形の矢印形であることを特徴とするボトル運搬具。
【発明の詳細な説明】
【技術分野】
【０００１】
本発明は、ボトルまたはボトルに類似した容器を運搬および格納するボトル運搬具であり、かつ、金属製の栓で封じたボトルの栓を開けることにも利用できるボトル運搬具に関する。
【背景技術】
【０００２】
２本以上のボトルを同時に運ぶための各種のボトル運搬装置が開発されている。このような装置は、ボトルの量によって異なる器具を用いてボトルを保持する。一般に、大型のボトルについては、ボトルの首部分を把持する１枚と、ボトルの底部分を把持する別の１枚から成る２枚のプラスチック板を連結したボトル運搬具を利用する。このボトル運搬具は、ボトルの長手方向の輪郭に沿って形成する半周リム状または全周リム状の枠組みとして構成する。このような実施形態は、２枚の板を利用することから材料費がかさみ、経済的な観点で不利である。
【０００３】
ボトル、たとえば、ミネラルウォータのボトルなどを把持するプラスチック板は、ボトルの量が減ると不要になる。１枚のプラスチック板を使用する実施形態では、プラスチック板の両端に設ける半周リムまたは全周リム形のボトル把持口の直径、および２つの把持口間の距離は、運搬するボトルによって異なる。６本または８本のボトルは、通常、両端それぞれに３つまたは４つの把持口を有する装置で運搬できる。
【０００４】
米国特許第５１９１９７５号明細書には、複数の容器を保持する付帯設備を備えたプラスチックのボトル梱包装置が開示されているが、この梱包装置は、クリップ式の装置で、容器を把持する複数の手段が一体型に設けられた長手方向の制御部を備える。
【０００５】
長手中央部と把持手段の寸法は、該装置が保持する容器の寸法によって異なる。更に、プラスチック板の幅を大きくした実施形態では、指を用いて運ぶのに便利なように、少なくとも１以上の穴がプラスチック板の中央部に開口されている。この形式は、本発明の範囲にも含まれる。
【０００６】
米国特許第５８８２０５７号明細書には、円形構造の縁部分にボトルの首部分と適合するノッチを形成したボトル運搬具が開示されている。この実施形態では、複数のボトルを空間的に互いに離れた関係で運搬して、ボトル同士がぶつかって破損することを防いでいるが、少ない本数のボトルしか運搬できない。
【０００７】
運搬できるボトルの数を増やすには、円型構造の直径を大きくする必要があるが、直径を大きくすると、コスト、およびボトル運搬具の全体積が増加することになる。
【０００８】
西独国実用新案ＤＥ第７２２６６４８号明細書には、金属製の栓で封じたボトルを搬送する３つのボトル運搬具と、ボトルの栓抜きが開示されている。
【０００９】
【特許文献１】
米国特許第５１９１９７５号明細書
【特許文献２】
米国特許第５８８２０５７号明細書
【特許文献３】
西独国実用新案ＤＥ第７２２６６４８号明細書
【発明の開示】
【発明が解決しようとする課題】
【００１０】
前述したボトル運搬具における最も顕著な欠点は、ボトルを装填したボトル運搬具が、ボトルを格納する場所と適合しないという点である。冷蔵庫などの庫内に適切な間仕切り区画が存在しないため、ボトルが装填されたボトル運搬具は、冷蔵庫内でかなり大きな空間を占領する。したがって、ボトルは、ボトル運搬具から取り外して冷蔵庫内に配置する。更に、前記特許に開示されている各発明は、主に、ボトルの運搬と格納を目的としたものであり、ボトルの栓を抜く手段を同時に提供することを目的としたものではない。一方、金属製のボトル栓を開けるのに用いる道具は、栓を抜くためだけのものである。したがって、ボトルを開栓するには、栓抜きを探す必要がある。
【発明の効果】
【００１１】
本発明の目的は、複数のボトルをまとめて運搬するため、特に、複数のボトルを格納するために用いるボトル運搬具であって、ボトル栓の開栓にも利用でき、かつ２つの部品に分割できるボトル運搬具を実現することにある。
【発明を実施するための最良の形態】
【００１２】
本発明に係るボトル運搬具１は、それぞれ個別に、あるいは組み立てていっしょに利用できる２つの長手中央部２を含む。
【００１３】
長手中央部２は、本体３と、前記本体３の一方の長辺側に沿って形成する１つ以上の把持空間部（gripping nest)４と、前記本体３の他方の長辺側に沿って一定間隔で形成する１つ以上の固定手段と、弾性を有する把持（爪）部材５と、を含む。把持部材５は、弾性を有する構造であるので、ボトルは簡単に把持空間部４に出し入れできる。各長手中央部２には、運搬するボトルの本数および容量に応じた数の把持空間部４が設けられている。通常、長手中央部２は、それぞれ、３本または４本のボトルを運搬するために利用するので、合計６本または８本のボトルを運搬できる。横方向保持部８によって、把持空間部４の端部に配設される把持部材５と本体３とを結合する。これにより、把持空間部４の弾性を許容可能な範囲内に維持する。
【００１４】
窪み１０は、２つの長手中央部２を合わせて利用するときに、ユーザによるボトル運搬具１の取り扱いを容易にする開口部９を形成するためのもので、いずれの長手中央部２においても把持空間部４が存在する辺の反対側に設ける。
【００１５】
本発明の好ましい実施形態では、窪み１０が位置する側の本体３の辺に沿って係合受け(cased catch)６を形成する。この係合受け６は、窪んでおり、更に、四角形の中空構造であることが好ましい。
【００１６】
同一形状を有する係合受け６は、そのすべてを、本体３の同一の面に配置してよいが、そのうちのいくつかを本体３の上面に配置し、残りを下面に配置してもよい。
【００１７】
固定係合片７は、係合受け６の近傍ではあるが、それとは反対の面に配置する。固定係合片７(lock handle)の一部は本体３上に配置され、残りの部分は本体３の側面の外まで延びる。少なくとも１つの固定係合片７と、１つの係合受け６とが設けられる（図２ａおよび図２ｂを参照）。
【００１８】
本発明のボトル運搬具１の好ましい実施形態では、本体３の一方の長辺側に一定間隔をあけて把持空間部４を形成し、他方の長辺側に、各把持空間部４の後ろ側に係合受け６と固定係合片７とを配置する。この係合受け６は本体３の上面、固定係合片７は本体３の下面に設ける。ボトル運搬具１は、２つの長手中央部２を連結して、一つの部品として利用することができる。この連結は、係合受け６と固定係合片７を適切に配置することによって実現する。２つの長手中央部２を並べて、係合受け６を備える面が、一方の長手中央部２では上を向き、もう一方の長手中央部２では下を向くようにする。
【００１９】
これにより、一方の（長手中央部の）上面に係合受け６が存在し、他方の（長手中央部）上面に各固定係合片７が存在する状態が得られる。この位置において、２つの長手中央部２それぞれの把持空間部４が反対方向を向く。両方の本体３の固定係合片７が、それぞれ他方の長手中央部２に位置する係合受け６の側面間に入り、２つの長手中央部２を連結する。
【００２０】
固定係合片７の端部は、係合受け６の幅より若干大きい。この構造により、固定係合片７は、係合受け６に簡単に挿入できても、挿入後は、力を印加しない限り、固定係合片７が係合受け６から簡単に抜けることはない。この場合、すなわち、２つの長手中央部２を固定する場合は、本体３の長辺上で互いに向き合うように配置した窪み１０が、１つ以上の開口部９を形成する。その数は２つであることが好ましいが、この開口部９は、ボトルの運搬を容易にするもので、指を挿入する十分な幅を持つ。
【００２１】
本発明の他の実施形態では、本体３の一方の長辺側に３つの把持空間部４を一定間隔あけて形成する一方で、他方の長辺側には、各把持空間部４とそれぞれ同位置に固定リング１１を設ける。この固定リング１１のうち２つを本体３の上面に設け、残りの１つをその端面（底面）に設ける。本体３上面の２つの固定リング１１については、その間に残りの１つの固定リング１１の直径が収まるように配置する。本体３の中央に位置する把持空間部４の位置には２つの固定リングが設けられるが、そのうちの一方を本体３の上面、他方を本体３の下面に配置されている。固定リング１１は、すべて、その一部が本体３上に配置され、残りの部分が本体３の末端より外に突き出ている（図３ａおよび図３ｂを参照）。
【００２２】
本発明の他の実施形態では、オスとメスの固定部材１２と１３を本体背面に設け、弾性構造を利用してオス固定部材１２をメス固定部材１３に嵌め込み、連結を実現する。
【００２３】
オス部材１２の一面には、キノコ形状の丸み帯びた段座が存在する。一方、メス固定部材１３には、オス部材１２の挿入を許容するが、挿入後のオス部材１２の抜け落ちを防止できる貫通穴を設ける。２つの長手中央部２が互いに異なるのは、一方がオスの固定部材１２を含み、もう一方がメスの固定部材１３を含むという点のみである（図４ａおよび図４ｂを参照）。
【００２４】
本発明の一実施形態では、本体３の短辺側において長手中央部２を結合する締結要素１４および１５を設ける。一方がオス１４で、もう一方がメス１５である締結要素により、長手中央部２がその短辺側において相互に固定されるため、複数のボトルを１列に格納できる。
【００２５】
１つの部品として組み立てたボトル運搬具１を利用することにより、容易に複数のボトルをまとめて運べる。更に、ボトルは、適切な幅の格納区画を備えた冷蔵庫などに、ボトル運搬具１から取り外さずに格納してもよい。
【００２６】
本発明の他の実施形態では、ボトル運搬具１を使用して、ボトルの金属栓を開けてもよい。このボトル運搬具には、取手１７を有する１つ以上の円形の把持空間部４を配置する。把持空間部４の端面には、１つ以上の爪表面１８と爪頭部１９を有する把持部材５を設ける。把持部材５はボトル栓と噛み合うようになっており、ボトルの口を挿入できる十分な弾性を備える。ボトル運搬具をボトルに押し付けると、弾力のある把持部材が開き、弾性把持部材の爪頭部１９がボトルの口と金属栓とを把持する。また、ボトル運搬具を１本のボトルに押し付けた場合、前述の爪頭部１９は、金属栓を開けることができる（図６ａ〜６ｆを参照）。ボトル運搬具は、単一のボトル用として利用しても、あるいは、複数のボトル用に１列または２列に並べて結合してもよい。また、複数のボトル用に結合したボトル運搬具は、分割しても、あるいは、さまざまな数のボトルを運搬および格納するために用いてもよい。ボトル運搬具を１本のボトルに押し付けたときに、爪頭部１９が金属栓を開栓する把持部材５については、添付の図面において、取手１７の両側それぞれに３つまたは４つを示した。この把持部材５の数は、取手バンドの２面に複数個として構成してもよい。ボトル運搬具は、三角形のコーナーのような矢印で添付の図面に示した。本発明は、幾何形状、たとえば、円形、楕円形、四辺形、または混合形状などを用いて実現してもよく、これらの形状も本発明の範囲に含まれるものとする。
【００２７】
ボトル運搬具１を構成する前述の２つの長手中央部２は、連結状態、分離状態、またはその短辺側端部で組み合わせた状態で使用してよい。この方法では、必要に応じて少ない数のボトルを運搬してもよいので、冷蔵庫内の格納場所および同様の場所を有効に利用できる。これら２つの部品は、分離した状態でも、あるいは短辺側端部で結合した状態でも、ボトル格納区画に垂直に収納できる。この方法では、他のボトル運搬具と比べて狭い空間に他のボトル運搬具と同数のボトルを格納できる。
【００２８】
更に、このボトル運搬具は、ボトルの金属製の栓を開けるために利用してもよい。
【図面の簡単な説明】
【００２９】
【図１】従来技術におけるボトル運搬具の平面図である。
【図２ａ】固定前のボトル運搬具の平面図である。
【図２ｂ】固定位置にあるボトル運搬具の平面図である。
【図３ａ】本発明の他の実施形態での固定前の状態を表す平面図である。
【図３ｂ】本発明の他の実施形態での固定位置における状態を表す平面図である。
【図４ａ】本発明の他の実施形態での固定前の状態を運搬位置に関して表した平面図である。
【図４ｂ】本発明の他の実施形態に係る固定状態の詳細を示す側面の平面図である。
【図５】本発明の一実施形態を、１列の固定位置で表した平面図である。
【図６ａ】１本のボトル用に配置した、栓抜きを含む他の実施形態の平面図である。
【図６ｂ】４本のボトルを１列に配置した、栓抜きを含む他の実施形態の平面図である。
【図６ｃ】３本のボトル用に配置した、栓抜きを含む他の実施形態の平面図である。
【図６ｄ】６本のボトルを２列に配置した、栓抜きを含む他の実施形態の平面図である。
【図６ｅ】１本のボトル用に配置した、栓抜きを含む他の実施形態における端面の平面図である。
【図６ｆ】栓抜きを含む他の実施形態における栓保持爪の図である。
【符号の説明】
【００３０】
１  ボトル運搬具、２  長手中央部、３  長手中央部本体、４  把持空間部、５  把持部材、６  係合受け、７  固定係合片、８  横方向保持部、９  開口部、１０  窪み、１１  固定リング、１２  オス形固定部材、１３  メス形固定部材、１４  オス形締結要素、１５  メス形締結要素、１６  側面壁、１７  運搬取手、１８  爪表面、１９  爪頭部。
【国際公開パンフレット】
2004538217.tif 000003
2004538217.tif 000004
2004538217.tif 000005
2004538217.tif 000006
2004538217.tif 000007
2004538217.tif 000008
2004538217.tif 000009
2004538217.tif 000010
2004538217.tif 000011
2004538217.tif 000012
2004538217.tif 000013
2004538217.tif 000014
2004538217.tif 000015
2004538217.tif 000016
2004538217.tif 000017
2004538217.tif 000018
2004538217.tif 000019
2004538217.tif 000020
2004538217.tif 000021
2004538217.tif 000022
2004538217.tif 000023
2004538217.tif 000024
【国際公開パンフレット（コレクトバージョン）】
2004538217.tif 000025
2004538217.tif 000026
【国際調査報告】
2004538217.tif 000027
2004538217.tif 000028
2004538217.tif 000029
2004538217.tif 000030
2004538217.tif 000031